(57)【特許請求の範囲】
【請求項１】
車両のシート内部のシートバックフレームに設置されて搭乗者の背部位を支持するランバーサポートアセンブリにおいて、
前記シートバックフレームに結合されるサスペンションマットと、
前記サスペンションマットに結合されたガイドボックスと、
前記ガイドボックスに結合され、一側には前記ガイドボックスの内部に位置されるスピンドル軸が備えられたアクチュエータと、
前記スピンドル軸にねじ結合され、前記スピンドル軸の回転に従い、互いに反対方向にスライド移動する一対のスピンドルナットと、
各各の一端が前記シートバックフレームに結合され、他端が前記一対のスピンドルナットに各々結合される一対のケーブルと、を含み、
前記ガイドボックスは半分された形状からなり、相互結合される上部及び下部ハウジングからなり、前記上部及び下部ハウジングの各々の内側面には案内溝が相互向き合うように形成され、
前記上部及び下部ハウジングの各々の内側面に形成された案内溝では長さ方向に沿ってガイド突起が形成され、
前記スピンドルナットの上部では上部リブが形成され、両側面では二つの側面リブが対称に形成され、前記両側面で形成された二つの側面リブの間には前記ガイド突起が結合されることを特徴とするランバーサポートアセンブリ。
【請求項２】
前記サスペンションマットの上部の両側では、前記シートバックフレームに連結されるテンションスプリングが少なくとも一つ以上備えられ、下部の一側ではワイヤクリップを介して、前記シートバックフレームの下部に結合される固定ワイヤが備えられることを特徴とする請求項１に記載のランバーサポートアセンブリ。 
【請求項３】
前記シートバックフレームの両側面の長さ方向の所定位置では前記一対のケーブルの各々の一端が結合される結合具が備えられ、
前記結合具は前記シートバックフレームの両側面長さ方向の所定位置に結合される胴体部と、前記胴体部の所定位置に形成された切開溝と、前記切開溝に連通されるよう形成され、内周面では上広下狭の傾斜面が形成された挿入部と、を備えることを特徴とする請求項１に記載のランバーサポートアセンブリ。
【発明の詳細な説明】
【技術分野】
【０００１】
本発明は、ランバーサポートアセンブリに関し、詳しくは、車両のシートバックフレームの内部に設置されて、搭乗者の脊柱及び背の部位を支持するランバーサポートアセンブリに関する。
【背景技術】
【０００２】
自動車の内部には搭乗者が座ることができるようシートが設置されている。シートは搭乗者のお尻を支持するシートクッション、背を支持するシートバック、搭乗者の腕を挙げて置けるアームレスト及び、頭を支持するヘッドレストからなる。
【０００３】
その中で本発明と関連するシートバックを詳しく見ると、シートバックの内部にはシートバックの骨格になるシートバックフレームが設置され、シートバックフレームの内部には搭乗者の背を支持するランバーサポートアセンブリが設置される。
【０００４】
ランバーサポートアセンブリは自動車の運行中、搭乗者の疲労を減らすため、搭乗者の脊柱形状に合わせることができるよう可変型構造を持つ。
【０００５】
かかるランバーサポートアセンブリを観察してみると、シートバックフレームに結合されて回転する回転棒に突出部を形成した後、この突出部に搭乗者の腰を支持するサポート部材を設置し、シートに座っている搭乗者の姿勢に従って回転棒が回転しながらサポート部材をシートバックフレームの前後に移動させて搭乗者の腰を支えている。
【０００６】
しかしながら、かかる従来のランバーサポートアセンブリは多数の部品などによって組立・製作されていることから故障発生率が高く、製作の費用と時間が大いに要され、自動車の運行中、道路事情や交通状況などにより発生される振動と衝撃が突出部を介して搭乗者の腰部位に伝達され、搭乗者がすぐ疲労を感じるようになるか負傷発生の危険がある。
【先行技術文献】
【特許文献】
【０００７】
【特許文献１】韓国登録特許第１０−１１４９０７５号公報
【特許文献２】韓国登録特許第１０−１３８８９８３号公報
【特許文献３】米国特許出願公開第２００８／０２１７９７８号明細書
【特許文献４】韓国公開特許第１０−２０１４−００４８７４３号公報
【特許文献５】特開２０１４−０９４５９８号公報
【発明の概要】
【発明が解決しようとする課題】
【０００８】
従って、本発明は、前述した問題点を解決しようとするもので、搭乗者の身体条件によりランバーサポートの突出程度を調節することができ、簡単な構造としてのモジュール化が可能で製作の費用と時間を節減でき、これによって、価格競争力を向上させることができるランバーサポートアセンブリを提供することを目的とする。
【課題を解決するための手段】
【０００９】
上記及び他の本発明の目的を達成するために、本発明の実施形態によれば、車両のシート内部のシートバックフレームに設置されて搭乗者の背部位を支持するランバーサポートアセンブリにおいて、前記シートバックフレームに結合されるサスペンションマットと、前記サスペンションマットに結合されたガイドボックスと、前記ガイドボックスに結合され、一側には前記ガイドボックスの内部に位置されるスピンドル軸が備えられたアクチュエータと、前記スピンドル軸にねじ結合され、前記スピンドル軸の回転に従い、互いに反対方向にスライド移動する一対のスピンドルナットと、各々の一端が前記シートバックフレームに結合され、他端が前記一対のスピンドルナットに各々結合される一対のケーブルと、を含んでなることを特徴とするランバーサポートアセンブリが提供される。
【００１０】
前記ガイドボックスは半分された形状からなり、相互結合される上部及び下部ハウジングからなり、前記上部及び下部ハウジングの各々の内側面には案内溝が相互向き合うように形成されたことを特徴とする。
【００１１】
前記上部及び下部ハウジングの各々の内側面に形成された案内溝では長さ方向に沿ってガイド突起が形成されることを特徴とする。
【００１２】
前記スピンドルナットの上部では上部リブが形成され、両側面では二つの側面リブが対称に形成され、前記両側面で形成された二つの側面リブの間には前記ガイド突起が結合されることを特徴とする。
【００１３】
前記サスペンションマットの上部の両側では、前記シートバックフレームに連結されるテンションスプリングが少なくとも一つ以上備えられることを特徴とする。
前記サスペンションマットの上部の両側では、前記シートバックフレームに連結されるテンションスプリングが少なくとも一つ以上備えられ、下部の一側ではワイヤクリップを介して、前記シートバックフレームの下部に結合される固定ワイヤが備えられることを特徴とする。 
【００１４】
前記シートバックフレームの両側面の長さ方向の所定位置では前記一対のケーブルの各々の一端が結合される結合具が備えられ、前期結合具は前記シートバックフレームの両側面長さ方向の所定位置に結合される胴体部と、前記胴体部の所定位置に形成された切開溝と、前記切開溝に連通されるよう形成され、内周面では上広下狭の傾斜面が形成された挿入部と、を備えることを特徴とする。
【発明の効果】
【００１５】
前述された構成を持つ本発明によれば、搭乗者の身体条件に従い、ランバーサポートの突出程度が調節でき、簡単な構造としてのモジュール化が可能であり、製作の費用と時間を節減することができ、これによって価格競争力向上の効果がある。
【図面の簡単な説明】
【００１６】
以下の図面は単に例示のために提供されるものであり、本発明の範囲を制限するためのものではない。
【図１】本発明の１実施例によるランバーサポートアセンブリの斜視図である。
【図２】本発明の１実施例によるランバーサポートアセンブリの分解斜視図である。
【図３】図２に図示されたスピンドルナットの移動によるケーブルの作動を図示する図面である。
【図４】ケーブルが結合具を介してシートバックフレームに結合されたことを図示する斜視図である。
【発明を実施するための形態】
【００１７】
以下、添付図面に基づき、本発明の好適な一実施形態について説明する。この過程で、図示の線の太さや構成要素の大きさなどは説明の明瞭性及び便宜性のために誇張されていてもよい。
【００１８】
また、後述する用語は、本発明における機能を考慮して定義された用語であり、これは、ユーザー、運用者の意図または慣例などによって異なってくるため、その定義は、本明細書の全般に亘る内容を踏まえて下されるべきである。
【００１９】
図１は本発明の１実施例によるランバーサポートアセンブリの斜視図である。図２は本発明の１実施例によるランバーサポートアセンブリの分解斜視図である。図３は図２に図示されたスピンドルナットの移動によるケーブルの作動を図示する図面である。図４はケーブルが結合具を介してシートバックフレームに結合されたことを図示する斜視図である。
【００２０】
図１〜図４を参照すると、本発明の１実施例に係わるランバーサポートアセンブリ１００は車両シート内部のシートバックフレームに設置され、搭乗者の背部位を支持するものであり、サスペンションマット１１０と、ガイドボックス１２０と、アクチュエータ１３０と、一対のスピンドルナット１４０と、一対のケーブル１５０と、で構成される。
【００２１】
ここで、シートバックフレーム１０は車両のシートバック(seat back)内部に設置され、シートバックの形状を維持させ、シートクッション(seat cushion)と繋がって搭乗者の荷重を支持するものとして、シートバックの外郭形状に対応される形状で形成される。
【００２２】
サスペンションマット１１０はシートバックフレーム１０に結合され、車両搭乗者の脊柱及び背の部位を支持するもので、合成樹脂または金属材質で製作される。
【００２３】
また、サスペンションマット１１０の中心部の幅方向の両側の所定位置では後述する一対のケーブル１５０の各々の長さ方向の所定位置が挿入される一対のケーブル挿入部１１２が形成される。
【００２４】
この場合、サスペンションマット１１０の上部は少なくとも一つ以上のテンションスプリング１１４によって支持される。即ち、テンションスプリング１１４の両端では結合リング１１４ａが形成され、テンションスプリング１１４のどちらか一方に形成された結合リングはシートバックフレーム１０の両側に各々結合され、他方に結合された結合リングはサスペンションマット１１０の両側に各々結合される。
【００２５】
また、サスペンションマット１１０の下部はワイヤクリップ１１６ａにより、シートバックフレーム１０の下部に結合される固定ワイヤ１１６を介して、シートバックフレーム１０に結合される。
【００２６】
ガイドボックス１２０はサスペンションマット１１０に結合されて、後述するスピンドルナット１４０がスピンドル軸１３２ａの回転により、スライド移動される時、スピンドルナットがスピンドル軸１３２ａと共に回転されないようにする。
【００２７】
このようなガイドボックス１２０は半分された形状からなり、相互結合される上部及び下部ハウジング１２２、１２４で構成され、上部及び下部ハウジング１２２、１２４の各々の内側面では案内溝１２６が相互向き合うように形成される。
【００２８】
上部及び下部ハウジング１２２、１２４の各々の内側面で形成された案内溝１２６は、上部及び下部ハウジング１２２、１２４が相互結合される時、ガイドボックス１２０の内部に空間部（図示せず）を形成するが、この空間部では後述するスピンドル軸１３２ａと、スピンドル軸１３２ａにねじ結合されて、スライド移動されるスピンドルナット１４０が位置される。
【００２９】
また、案内溝１２６では長さ方向に沿ってガイド突起１２６ａが形成されるが、このガイド突起１２６ａはスピンドル軸１３２ａにねじ結合されて、スライド移動されるスピンドルナット１４０のスライド移動をガイドする。
【００３０】
アクチュエータ１３０はガイドボックス１２０に結合され、一側の所定位置ではガイドボックス１２０の内部に位置されるスピンドル軸１３２ａを備える。
【００３１】
アクチュエータ１３０はスピンドル軸１３２ａが備えられたギアボックス１３２と、ギアボックス１３２に結合されるモータ１３４からなり、モータ１３４はギアボックス１３２に備えられたクランプ１３６によって固定される。
【００３２】
スピンドル軸１３２ａでは後述する一対のスピンドルナット１４０が、同時に互いに反対方向にスライド移動されるよう右ねじ山と左ねじ山がスピンドル軸１３２ａの中間部を基準にして、互いに対称されるよう形成される。
【００３３】
ここで、スピンドル軸１３２ａの中心部と先端部ではスピンドルナット１４０の移動距離を制限するストッパ１３３が備えられることが好ましい。
【００３４】
一対のスピンドルナット１４０はスピンドル軸１３２ａの上で互いに離隔し、ねじ結合されてスピンドル軸１３２ａの回転により、互いに反対方向へスライド移動する。
【００３５】
ここで、一対のスピンドルナット１４０ではスピンドル軸１３２ａが挿入・結合される挿入孔１４２が形成され、下部では後述する一対のケーブル１５０の端部が各々結合される結合溝１４４が形成される。
【００３６】
また、スピンドルナット１４０の上部では上部リブ１４０ａが形成され、両側面では二つの側面リブ１４０ｂが対称に形成される。この時、スピンドルナット１４０の両側面で形成された二つの側面リブ１４０の間では前述したガイドボックス１２０の上部及び下部ハウジング１２２、１２４が相互結合される時、上部及び下部ハウジング１２２、１２４の案内溝１２６に突出して形成されたガイド突起１２６ａが結合される。
【００３７】
ここで、上部リブ１４０ａと側面リブ１４０ｂはスピンドルナット１４０がスライド移動される時、スピンドルナット１４０の外側面と案内溝１２６の内側面の間で発生される摩擦力を減少させる。
【００３８】
一対のケーブル１５０はサスペンションマット１１０を前方または後方へ移動させるもので、各々の一端がシートバックフレーム１０に対して結合され、他端が一対のスピンドルナット１４０に各々結合される。
【００３９】
ここで、シートバックフレーム１０に対して結合された一対のケーブル１５０の一端はマウンティングクリップ１５２を介してシートバックフレーム１０に結合されることが好ましいが、これと違って、シートバックフレーム１０に結合されるケーブル１５０の端部にリング部（図示せず）を形成することも可能である。
【００４０】
また、一対のケーブル１５０の各々の一端はシートバックフレーム１０の両側面の長さ方向の所定位置に備えられた結合具１６０に結合できる。
【００４１】
結合具１６０はシートバックフレーム１０の両側面の長さ方向の所定位置に結合される胴体部１６２と、胴体部１６２の所定位置に形成された切開溝１６４と、切開溝と連通されるよう形成され、内周面では上広下狭の傾斜面１６６ａが形成された結合部１６６と、を備える。
【００４２】
図３を参照すると、一対のスピンドルナット１４０がスピンドル軸１３２ａの上で互いに遠くなった方向へ移動された場合では一対のケーブル１５０の長さ方向の所定位置がサスペンションマット１１０の後方に折り曲げられて入り込み、サスペンションマット１１０を支持するようになる。一対のスピンドルナット１４０がスピンドル軸１３２ａの上で互いに近くなる方向へ移動された場合では、一対のケーブル１５０は長さが制限されているので、サスペンションマット１１０の後方へ折り曲げられて入り込み、サスペンションマット１１０を支持していた部分が伸びながらサスペンションマット１１０を前方へ移動させるようになる。
【００４３】
以下、前述したように構成されたランバーサポートアセンブリの作動を説明することにする。
【００４４】
搭乗者がアクチュエータ１３０を作動させると、スピンドル軸１３２ａが正回転しながらスピンドル軸１３２ａの上で互いに等距離で離隔されるよう設置された一対のスピンドルナット１４０が互いに近くなるようスライド移動するようになる。
【００４５】
一対のスピンドルナット１４０が互いに近くなるようスライド移動すると、長さ方向の所定位置がサスペンションマット１１０の後方へ折り曲げられて入りこみ、サスペンションマット１１０を支持していた一対のケーブル１５０の折り曲げられた部分が伸びながらサスペンションマット１１０を前方へ押され移動させ、搭乗者の背部位を支持するようになる。
【００４６】
これと反対に、サスペンションマット１１０が後方へ移動して原位置に復帰することは、スピンドル軸１３２ａが逆回転をしながら一対のスピンドルナット１４０が互いに遠くなる方向へスライド移動すると同時に、シートフォーム(seat foam)の弾性復元力と、搭乗者がシートバックの方向に加わる荷重により達成される。
【００４７】
以上、本発明の好ましい一実施形態を添付図面参照して説明したが、当該技術分野の当業者は下記の特許請求範囲に記載された本発明の技術的思想から逸脱しない範囲内で本発明を様々な形に修正及び変更する可能性があることを理解できるはずである。
【符号の説明】
【００４８】
１１０    サスペンションマット
１１２    ケーブル挿入部
１１４    テンションスプリング
１１４ａ  結合リング
１１６    固定ワイヤ 
１１６ａ  ワイヤクリップ
１２０    ガイドボックス
１２２    上部ハウジング
１２４    下部ハウジング
１２６    案内溝
１２６ａ  ガイド突起
１３０    アクチュエータ
１３２    ギアボックス
１３２ａ  スピンドル軸
１３３    ストッパ
１３４    モータ
１３６    クランプ
１４０    スピンドルナット
１４０ａ  上部リブ
１４０ｂ  側面リブ 
１４２    挿入孔
１４４    結合溝
１５０    ケーブル
１６０    結合具
１６２    胴体部
１６４    切開溝
１６６    結合部
１６６ａ  傾斜面
【要約】      （修正有）【課題】搭乗者の身体条件によりランバーサポートの突出程度を調節することができ、簡単な構造としてのモジュール化が可能で製作の費用と時間を節減でき、価格競争力を向上させることができるランバーサポートアセンブリを提供する。【解決手段】シートバックフレームに設置されて搭乗者の背部位を支持するランバーサポートアセンブリにおいて、シートバックフレームに結合されるサスペンションマット１１０と、サスペンションマットに結合されたガイドボックスと、ガイドボックスに結合され、一側にはガイドボックスの内部に位置されるスピンドル軸１３２ａが備えられたアクチュエータ１３０と、スピンドル軸にねじ結合され、スピンドル軸の回転に従い、互いに反対方向にスライド移動する一対のスピンドルナット１４０及び、各各の一端がシートバックフレームに結合され、他端が一対のスピンドルナットに各々結合される一対のケーブル１５０とを含む。【選択図】図２【図１】
0005969652.tif 000002
【図２】
0005969652.tif 000003
【図３】
0005969652.tif 000004
【図４】
0005969652.tif 000005